(57)【要約】【課題】浴槽内に配置したままでもユーザの入浴の邪魔になりにくく利便性が高い浴槽台を提供する。【解決手段】浴槽台１は、フレーム１０と、スライドユニット５１とを備えている。スライドユニット５１は、フレーム１０に左右両側の端部が支持されており、フレーム１０に対してスライド可能である。浴槽台１は、スライドユニット５１の上面が略水平となる第１の状態と、スライドユニット５１が第１の状態からフレーム１０に対してスライドした第２の状態とに相互に変化可能である。【選択図】図１
2020074935.tif 000002
【特許請求の範囲】
【請求項１】
フレームと、
前記フレームに左右両側の端部が支持されており、前記フレームに対してスライド可能であるスライドユニットとを備え、
前記スライドユニットの上面が略水平となる第１の状態と、前記スライドユニットが前記第１の状態から前記フレームに対してスライドした第２の状態とに相互に変化可能である、浴槽台。
【請求項２】
前記フレームに取り付けられている下側台部をさらに備え、
前記下側台部は、
前記第１の状態において前記スライドユニットの下方に位置しており、
前記第２の状態において前記下側台部が上方に露出して前記下側台部にユーザが着座可能になる、請求項１に記載の浴槽台。
【請求項３】
前記第２の状態において、前記スライドユニットの少なくとも一部が背もたれになる、請求項１又は２に記載の浴槽台。
【請求項４】
前記第２の状態において、
前記スライドユニットは、前記第１の状態における前記スライドユニットの位置から下方に位置しており、
前記スライドユニットに前記ユーザが着座可能である、請求項１に記載の浴槽台。
【請求項５】
前記第２の状態において、前記スライドユニットは、前記第１の状態における前記スライドユニットの位置から離れた位置にある、請求項１から４のいずれかに記載の浴槽台。
【請求項６】
前記フレームは、左右一対のレールを有し、
前記スライドユニットは、前記一対のレールに左右両側の端部が支持されており前記一対のレールに対してスライド可能である、請求項１から５のいずれかに記載の浴槽台。
【請求項７】
前記一対のレールのそれぞれは、前後方向に延びる水平部を有しており、
前記第１の状態において、前記スライドユニットが前記水平部に支持されており、
前記第２の状態において、前記スライドユニットが前記第１の状態から前記一対のレールに対してスライドしている、請求項６に記載の浴槽台。
【請求項８】
前記スライドユニットは、複数のスライド部材を有し、
前記複数のスライド部材のそれぞれが、前記一対のレールの左右両端部にスライド可能に支持されており、
前記複数のスライド部材のそれぞれは、他のスライド部材に連結されている、請求項６又は７に記載の浴槽台。
【発明の詳細な説明】
【技術分野】
【０００１】
この発明は、浴槽台に関し、特に、浴槽内に配置して踏み台として利用できる浴槽台に関する。
【背景技術】
【０００２】
従来、浴槽内に配置して、踏み台として利用できる浴槽台が広く用いられている。
【０００３】
下記特許文献１には、脚部の長さが変更可能である浴槽台が開示されている。この浴槽台では、テレスコピック構造を有する脚部に、長手方向に垂直な方向に固定ピンを貫通させることで、台部の高さを所望の高さに固定できるように構成されている。
【先行技術文献】
【特許文献】
【０００４】
【特許文献１】特開２００８−７９７０７号公報
【発明の概要】
【発明が解決しようとする課題】
【０００５】
ところで、一般的に推奨されている従来の浴槽台の使用方法は、例えば次のようなものである。すなわち、まず、ユーザ（入浴者）が浴槽外から浴槽内に入るとき、浴槽台を浴槽内に配置し固定することで、浴槽台は踏み台として利用される。次に、いったん浴槽内にユーザが入ると、浴槽台は、取り外されて浴槽外に出される。これにより、浴槽内のスペースを広げることができ、ゆったりと入浴可能になる。そして、ユーザが浴槽内から浴槽外に出るときには、これと逆の手順で浴槽台が使用される。浴槽台を用いることで、浴槽内に出入りする際にユーザの足腰にかかる負担を軽減することができる。
【０００６】
しかしながら、このように浴槽内に出入りするたびに浴槽台の着脱や運搬を行うのは、ユーザにとって面倒に感じられる場合も多い。特に、浴槽台が浴槽内で滑らないように吸盤などを利用して浴槽内に固定できる浴槽台においては、いったん浴槽内に取り付けた浴槽台を取り外すのが困難である場合がある。
【０００７】
これに対し、浴槽台を浴槽内に配置したままで入浴する方法などが採られる場合もある。しかしながら、浴槽内に配置したままで浴槽台を用いる場合には上記とは別の問題が生じる。すなわち、浴槽台が浴槽内で邪魔になり浴槽内のスペースが狭くなるため、ユーザは、浴槽台を避けるように足を曲げたりする姿勢を強いられる場合がある。また、浴槽台を浴槽内において椅子として用いることもできるが、この場合には浴槽の底面よりも腰の位置が相当に高くなる。そのため、浴槽内の湯の水位を深くする必要があり、湯の消費量が増加する。また、浴槽の深さによってはユーザの上半身が浴槽のふちから上方に露出することとなり、肩まで湯につかりたいというユーザを満足させることができない。
【０００８】
このような浴槽内における問題だけを考慮すると、台部（天板部分）の高さが低い浴槽台を用いることを解決策として挙げることができる。しかしながら、この場合、浴槽内に出入りする際に踏み台となる浴槽台の本来の役目が損なわれてしまう。
【０００９】
この発明はそのような問題点を解決するためになされたものであり、浴槽内に配置したままでもユーザの入浴の邪魔になりにくく利便性が高い浴槽台を提供することを目的としている。
【課題を解決するための手段】
【００１０】
上記目的を達成するためこの発明のある局面に従うと、浴槽台は、フレームと、フレームに左右両側の端部が支持されており、フレームに対してスライド可能であるスライドユニットとを備え、スライドユニットの上面が略水平となる第１の状態と、スライドユニットが第１の状態からフレームに対してスライドした第２の状態とに相互に変化可能である。
【００１１】
好ましくは、浴槽台は、フレームに取り付けられている下側台部をさらに備え、下側台部は、第１の状態においてスライドユニットの下方に位置しており、第２の状態において下側台部が上方に露出して下側台部にユーザが着座可能になる。
【００１２】
好ましくは、第２の状態において、スライドユニットの少なくとも一部が背もたれになる。
【００１３】
好ましくは、第２の状態において、スライドユニットは、第１の状態におけるスライドユニットの位置から下方に位置しており、スライドユニットにユーザが着座可能である。
【００１４】
好ましくは、第２の状態において、スライドユニットは、第１の状態におけるスライドユニットの位置から離れた位置にある。
【００１５】
好ましくは、フレームは、左右一対のレールを有し、スライドユニットは、一対のレールに左右両側の端部が支持されており一対のレールに対してスライド可能である。
【００１６】
好ましくは、一対のレールのそれぞれは、前後方向に延びる水平部を有しており、第１の状態において、スライドユニットが水平部に支持されており、第２の状態において、スライドユニットが第１の状態から一対のレールに対してスライドしている。
【００１７】
好ましくは、スライドユニットは、複数のスライド部材を有し、複数のスライド部材のそれぞれが、一対のレールの左右両端部にスライド可能に支持されており、複数のスライド部材のそれぞれは、他のスライド部材に連結されている。
【発明の効果】
【００１８】
これらの発明に従うと、浴槽内に配置したままでもユーザの入浴の邪魔になりにくく利便性が高い浴槽台を提供することができる。
【図面の簡単な説明】
【００１９】
【図１】本発明の実施の形態の１つにおける浴槽台を示す斜視図である。
【図２】浴槽台の図１とは異なる状態を示す斜視図である。
【図３】第１の状態における浴槽台を単純化して示す側面図である。
【図４】第２の状態における浴槽台を単純化して示す側面図である。
【図５】本実施の形態の第１の変形例に係る浴槽台の第１の状態を単純化して示す側面図である。
【図６】第１の変形例に係る浴槽台の第２の状態を単純化して示す側面図である。
【図７】本実施の形態の第２の変形例に係る浴槽台の第１の状態を単純化して示す側面図である。
【図８】第２の変形例に係る浴槽台の第２の状態を単純化して示す側面図である。
【図９】本実施の形態の第３の変形例に係る浴槽台を単純化して示す側面図である。
【図１０】本実施の形態の第４の変形例に係る浴槽台を単純化して示す側面図である。
【図１１】本実施の形態の第５の変形例に係る浴槽台を単純化して示す側面図である。
【図１２】本実施の形態の第６の変形例に係る浴槽台を単純化して示す側面図である。
【図１３】本実施の形態の第７の変形例に係る浴槽台の第１の状態を単純化して示す側面図である。
【図１４】第７の変形例に係る浴槽台の第２の状態を単純化して示す側面図である。
【図１５】本実施の形態の第８の変形例に係る浴槽台を単純化して示す側面図である。
【発明を実施するための形態】
【００２０】
以下、本発明の実施の形態における浴槽台の一例について説明する。
【００２１】
なお、以下において、前後方向（図２における左が「前」）、左右方向（図２における紙面上方が「右」）、上下方向（図２における上が「上」）などとそれぞれの方向を称して各部の形状や位置関係を説明することがあるが、これらの前後、上下、左右の方向は、あくまで説明の便宜のために定義したものであって、実際に浴槽台が用いられる場面における方向や、浴槽台が使用される姿勢などについて、何ら限定するものではない。また、特記する場合を除き、各方向や、水平、垂直というような表現は、おおまかに、また相対的に解釈されるべきであり、方向や姿勢等について厳密に限定するものではない。
【００２２】
また、以下において、浴槽台のユーザが着座可能な（座ることができる）面を座面と呼ぶことがあるが、例えば、浴槽台の用途によっては、ユーザが浴槽に入ったり浴槽から出たりするときにその座面を踏み台にしてもよい。すなわち、以下において座面と呼ぶ面は、ユーザが着座するためのものに限られず、浴槽台の様々な用途において利用できる面である。
【００２３】
［実施の形態］
【００２４】
図１は、本発明の実施の形態の１つにおける浴槽台１を示す斜視図である。
【００２５】
図１に示されるように、浴槽台１は、フレーム１０と、下側台部２１と、左右一対のレール３１と、スライドユニット５１とを備えている。
【００２６】
本実施の形態において、フレーム１０は、左右一対に設けられている。左右のフレーム１０の間隔は、一般的なユーザの腰幅よりも広い寸法に設定されている。各フレーム１０の下部は浴槽の底面などの床面（浴槽台１が配置される面をいう）に接地するための脚部１１となっている。脚部１１は、左右それぞれのフレーム１０において前後の２カ所に設けられている。すなわち、浴槽台１は、４カ所で床面に接触する。
【００２７】
本実施の形態において、脚部１１には、床面などに吸着する吸盤１５が設けられており、浴槽台１は、吸盤１５が床面に吸着するようにして、浴槽内などの床面に配置されて使用される。これにより、浴槽台１が床面に対して変位することが防止され、浴槽台１をより安全に使用可能になる。吸盤１５は、すべての脚部１１に設けられているが、これに限られるものではなく、脚部１０のうちいくつかの、限られた脚部１１にのみ設けられていてもよい。また、吸盤１５が設けられていなくてもよい。
【００２８】
なお、浴槽台１は各吸盤１５と床面との吸着を解除することにより、容易に床面から取り外すことができる。浴槽台１は、例えば容易な操作で、一度に各吸盤１５の一部を持ち上げ、吸盤１５の床面への吸着部に空気を導入できる機構（図示せず）を備えていてもよい。吸盤１５の床面への吸着を容易な操作で解除することができ、浴槽台１の床面からの取り外しをより容易にかつ速やかに行うことができる。
【００２９】
左右一対のレール３１は、それぞれ、左右のフレーム１０に設けられている。レール３１は、スライドユニット５１の左右両側の端部を支持している。すなわち、スライドユニット５１は、左右一対のレール３１に対して、レール３１に沿ってスライド可能である。なお、スライドユニット５１の左右両側の端部には、レール３１に向かって突出する支持部５６（図３に示す）が設けられており、支持部５６がレール３１にはめ込まれている。換言すると、レール３１は、支持部５６がはまり込む溝形状を有している。これにより、スライドユニット５１がレール３１に沿ってスライド可能である。なお、スライドユニット５１がレール３１に沿ってスライド可能となる構造については、これに限られるものではない。例えば、スライドユニット５１の左右両側の端部に凹部が設けられており、他方のレール３１に向かって突出するレール３１を凹部で挟むようにしてスライドユニット５１が配置されていることにより、スライドユニット５１がレール３１に沿ってスライド可能となっていてもよい。
【００３０】
下側台部２１は、フレーム１０に取り付けられている。下側台部２１は、左右の端部がそれぞれ左右のフレーム１０に固定されていることにより、フレーム１０に支持されている。本実施の形態において、下側台部２１は、左右方向が長手方向となる複数の短冊状の板部材２５が前後方向に並べられて、全体として略水平の板状を成すように構成されている。例えば３枚の板部材２５で下側台部２１が構成されている。下側台部２１は、図１に示される状態（後述する第１の状態）において、スライドユニット５１の下方に位置している。
【００３１】
図２は、浴槽台１の図１とは異なる状態を示す斜視図である。
【００３２】
本実施の形態において、浴槽台１は、比較的高い位置に座面が位置する第１の状態と、第１の状態における座面を取り除くことができる第２の状態との２つの状態をとることができる。ユーザは、以下に説明する方法で、第１の状態と第２の状態とを相互に変化させることができる。図１は、第１の状態における浴槽台１を示し、図２は、第２の状態における浴槽台１を示している。
【００３３】
図１に示される第１の状態においては、スライドユニット５１の上面が座面となる。第１の状態においては、スライドユニット５１の上面にユーザが着座可能である。他方、図２に示される第２の状態においては、スライドユニット５１は、第１の状態におけるスライドユニット５１の位置から離れた位置にある。第２の状態においては、下側台部２１が上方に露出している。第２の状態において、下側台部２１の上面が座面となり、下側台部２１にユーザが着座可能である。
【００３４】
また、第２の状態において、スライドユニット５１は、浴槽台１の後方であって下側台部２１の後方において、略垂直になる部分を有する。スライドユニット５１の一部は、第２の状態において、下側台部２１に着座するユーザにとっての背もたれとして利用することができる。
【００３５】
図３は、第１の状態における浴槽台１を単純化して示す側面図である。図４は、第２の状態における浴槽台１を単純化して示す側面図である。
【００３６】
図３及び図４においては、側面から見た浴槽台１を模式的に示す。図中の座標に示されるように、紙面において左が浴槽台１の前、紙面において上が浴槽台１の上に該当する。浴槽台１を構成する各要素の具体的な形状の図示等は省略されており、各要素が簡略化されて示されている。
【００３７】
図３に示されるように、本実施の形態において、スライドユニット５１は、複数（例えば５つ）のスライド部材５５を有している。複数のスライド部材５５のそれぞれが、一対のレール３１の左右両端部にスライド可能に支持されており、第１の状態において前後に並んでいる。複数のスライド部材５５のそれぞれに、レール３１にはめ込まれる支持部５６が設けられている。複数のスライド部材５５のそれぞれは、他のスライド部材５５に連結されている。これにより、複数のスライド部材５５が一体として、レール３１に対してスライド可能となっている。スライド部材５５同士の連結構造としては、様々なものが用いられる。例えば、ワイヤ状の連結部材５２（図３において破線で示す）を用いて、各スライド部材５５が結合されるようにしてもよい。
【００３８】
各スライド部材５５は、左右方向が長手方向となる短冊状の板状部材である。
【００３９】
ここで、一対のレール３１のそれぞれは、前後方向に延びる水平部３３と、水平部３３の後端部から下方に延びる垂直部３４と、垂直部３４の下端部から前方に延びる第２水平部３５とを有している。第２水平部３５は、下側台部２１よりも下方に位置している。水平部３３と垂直部３４とは、スライド部材５５をスライド可能な程度に緩やかに湾曲した湾曲部を介して接続されている。垂直部３４と第２水平部３５とは、スライド部材５５をスライド可能な程度に緩やかに湾曲した湾曲部を介して接続されている。レール３１は、側方から見て、Ｃ字状の形状を有しているといえる。
【００４０】
図３に示されるように、第１の状態においては、スライドユニット５１が水平部３３に支持されており、スライドユニット５１の上面が略水平となる。このとき、スライドユニット５１の上面が浴槽台１の座面となる。なお、第１の状態において、スライドユニット５１の上面は全体として略水平であればよく、これにより、スライドユニット５１に安定して腰掛けたり踏み板にしたりすることができる。
【００４１】
なお、第１の状態において、スライドユニット５１の一部（例えば、前側や後側の部分）は、レール３１の形状等に応じてスライドユニット５１の他の部位とは異なる高さに位置するようにしてもよい。例えばスライドユニット５１の前側が若干下方に垂れ下がるようにすることで、浴槽台１を第１の状態において椅子として使用するときに、スライドユニット５１の前側の部位が膝裏に緩やかに当たるようにし、座り心地を良好にすることができる。また、このとき、スライドユニット５１の一部の支持部５６の位置が、他の支持部５６よりも下方においてレール３１に支持されているようにすることにより、ユーザがスライドユニット５１に座ったり脚をかけたりしてスライドユニット５１に下方向の荷重がかけられているときに、スライドユニット５１がレール３１に沿って前後方向にスライドしにくくなるようにすることができる。すなわち、第１の状態が維持され、浴槽台１の利用時に安定感が得られる。
【００４２】
第１の状態から、図に矢印ｍで示されるようにスライドユニット５１をレール３１に沿って後方にスライドさせることで、第２の状態にすることができる。
【００４３】
図４に示されるように、第２の状態においては、スライドユニット５１が第１の状態から一対のレール３１に対して後方にスライドした状態となる。第１の状態から後方にスライドしたスライドユニット５１のスライド方向前端部（第１の状態において後端部分）は、レール３１に沿って、垂直部３４を経由して、第２水平部３５の前端まで到達しうる。スライドユニット５１のスライド方向前端部が第２水平部３５の前端部に到達したとき、スライドユニット５１のスライド方向後端部（第１の状態において前端部分）は、垂直部３４に位置している。スライドユニット５１のスライド方向後端部は、第２の状態において下側台部２１よりも上方に位置している。スライドユニット５１のいずれの部分も、第２の状態において水平部３３には位置していない。すなわち、スライドユニット５１は、第１の状態におけるスライドユニット５１の位置（図４において二点鎖線で示されている）から離れた位置にある。
【００４４】
ユーザは、スライドユニット５１を一対のレール３１に対して前後にスライドさせることで、第１の状態と第２の状態とを相互に変化可能である。すなわち、第２の状態から第１の状態にするためには、図４に示されている状態のスライドユニット５１の上端部（スライド方向後端部）を垂直部３４に沿って引き上げるようにスライドさせて、水平部３３において前方にスライドさせるようにすればよい。これにより、図３に示されるような第１の状態に再び戻すことができる。
【００４５】
第２の状態において、下側台部２１の上面は、スライドユニット５１に遮られずに上方に露出している。そのため、下側台部２１の上面を座面とすることができる。
【００４６】
第２の状態における座面すなわち下側台部２１の上面の床面からの高さｈ２は、第１の状態における座面すなわちスライドユニット５１の上面の床面からの高さｈ１よりも低くなる。すなわち、ユーザは、スライドユニット５１を一対のレール３１に対してスライドさせることで第１の状態と第２の状態とを相互に変化させて、浴槽台１の座面の高さを高い状態とするか低い状態とするかを相互に切り替えることができる。
【００４７】
以上説明したように、本実施の形態においては、浴槽台１の座面の高さを高い状態とするか低い状態とするかを、スライドユニット５１をレール３１に沿って移動させることで、容易に切り替えることができる。ユーザは、好みに応じて、適宜、浴槽台１の状態を切り替えて浴槽台１を用いることができので、浴槽台１の利便性が高くなる。すなわち、浴槽台１は、ユーザが浴槽内に出入りするときのみならず、ユーザが浴槽内にいるときでも、有効に利用できるものである。
【００４８】
例えば、上記の通り、浴槽が深い場合などにおいて浴槽台１を踏み台として用いるときは、浴槽台１を第１の状態にして、座面の高さを高くすることができる。これにより、ユーザが浴槽に出入りする際の踏み台としての効果を十分に得ることができる。すなわち、浴槽が深いものであっても、浴槽台１を用いることで足腰などにかかる負担が軽減されるため、ユーザは、楽に浴槽内に出入りすることができる。
【００４９】
ユーザが浴槽内で湯につかる際には、ユーザは、浴槽台１を浴槽から取り外すことなく、浴槽台１を第２の状態として、浴槽台１を椅子として利用できる。このとき、座面の高さが低くなるので、浴槽台１を使用しない場合と比較して浴槽内の湯の水位をそれほど増やさなくても、浴槽台を使用しない場合と同様に湯につかることができ、湯の消費量を抑えることができる。座面に腰掛けたユーザの上半身の位置は浴槽内で比較的低く納まるので、肩まで湯に浸かりたいというようなニーズがユーザにある場合においても、そのニーズを満足させることができる。浴槽に出入りするたびに面倒な浴槽台１の着脱作業を行う必要がなく、深く湯に浸かるために浴槽台１を避ける窮屈な姿勢をとる必要がないため、ユーザは、浴槽台１を使用して快適に入浴することができる。
【００５０】
浴槽台１は簡素な構造を有するので、取り扱いが容易で、また、製造コストを低くすることができる。
【００５１】
第２の状態において、下側台部２１に腰掛けるユーザは、スライドユニット５１の一部を背もたれとして利用することができる。したがって、浴槽台１の利便性がより高くなる。
【００５２】
なお、スライドユニット５１を第１の状態における位置や第２の状態における位置において保持させるように、保持構造を用いるようにしてもよい。保持構造としては、スライドユニット５１に重力が加わった状態で支持部５６が係合するようにレール３１に凸形状部や凹形状部などを設けた構造や、レール３１上で支持部５６がスライド可能な範囲を制限したりスライドユニット５１の位置を規制するようなユーザが操作可能なロック機構を設けた構造などを使用することができる。また、その他の構造を保持構造としても値いることができる。保持構造を設けなくてもよい。
【００５３】
［変形例の説明］
【００５４】
以下、本実施の形態の変形例について説明する。以下において、本実施の形態に係る構成と同様の構成には、同一の符号を付して説明したり、その説明や図示を省略したりすることがある。
【００５５】
［第１の変形例の説明］
【００５６】
図５は、本実施の形態の第１の変形例に係る浴槽台１０１の第１の状態を単純化して示す側面図である。図６は、第１の変形例に係る浴槽台１０１の第２の状態を単純化して示す側面図である。
【００５７】
図５に示されるように、第１の変形例に係る浴槽台１０１では、上述の実施の形態とは形状が異なるレール１３１が設けられている点、及び、フレーム１０にはレール１３１を支持する背もたれ部１７が設けられている点が、上述の実施の形態にかかる浴槽台１とは相違する。
【００５８】
すなわち、レール１３１は、水平部３３の後端部から上方に延びる待避部３７を有している。待避部３７は、例えば、水平部３３の後端部から、後ろ斜め上方に延びている。待避部３７の長さは、水平部３３の長さと同等かそれより長いが、これに限られるものではない。水平部３３と待避部３７とは、各スライド部材５５をスライド可能な程度に緩やかに湾曲した湾曲部を介して接続されている。レール１３１は、側方から見て、略Ｌ字状の形状を有しているといえる。
【００５９】
背もたれ部１７は、待避部３７に沿って、待避部３７を支持するように形成されている。なお、レール１３１や背もたれ部１７は、左右対称に形成されている。
【００６０】
第１の変形例においても、図５に示される第１の状態から、矢印ｍで示されるようにスライドユニット５１をレール１３１に沿って後方にスライドさせることにより、図６に示される第２の状態に変化させることができる。
【００６１】
図６に示されるように、第２の状態では、スライドユニット５１が、待避部３７に位置し、水平部３３に位置していない状態となる。これにより、下側台部２１が上方に露出し、下側台部２１の上面を座面として使用することができる。なお、第２の状態からスライドユニット５１をレール１３１に沿って前方にスライドさせることにより、第１の状態に変化させることができる。
【００６２】
また、第１の変形例では、第２の状態において、スライドユニット５１の全体を背もたれとして使用できる。すなわち、下側台部２１を座面として腰掛けたユーザは、スライドユニット５１の上面（図６において前方を向く面）に背中を接触させて、楽に浴槽台１０１に座ることができる。
【００６３】
第１の変形例においても、上述の実施の形態と同様の効果を得ることができる。
【００６４】
［第２の変形例の説明］
【００６５】
図７は、本実施の形態の第２の変形例に係る浴槽台２０１の第１の状態を単純化して示す側面図である。図８は、第２の変形例に係る浴槽台２０１の第２の状態を単純化して示す側面図である。
【００６６】
図７に示されるように、第２の変形例に係る浴槽台２０１では、上述の実施の形態とは形状が異なるレール２３１が設けられている点、及び、下側台部２１が設けられていない点が、上述の実施の形態にかかる浴槽台１とは相違する。
【００６７】
すなわち、レール２３１は、水平部３３の下側に位置する、略水平に前後方向に延びる第２水平部３５を有している。第２の変形例において、第２水平部３５の前後方向の長さは、水平部３３の前後方向の長さと略同程度である。前後方向において、第２水平部３５の前端部は、水平部３３の前端部と略同じ位置にある。水平部３３と第２水平部３５とは、浴槽台２０１の後方において、各スライド部材５５をスライド可能な程度に緩やかに湾曲したＵ字状の湾曲部を介して接続されている。レール２３１は、側方から見て、略Ｕ字状の形状を有しているといえる。なお、水平部３３と第２水平部３５とは、浴槽台の前方において接続されていてもよい。また、垂直部を介して水平部３３と第２水平部３５とが接続されていてもよい。
【００６８】
第２の変形例においても、図７に示される第１の状態から、矢印ｍで示されるようにスライドユニット５１をレール２３１に沿って後方にスライドさせることにより、図８に示される第２の状態に変化させることができる。
【００６９】
図８に示されるように、第２の状態において、スライドユニット５１は、第２水平部３５に位置し、水平部３３に位置していない状態となる。このとき、第１の状態においてスライドユニット５１の下面となる面が、上方に露出する。すなわち、第２の状態において、スライドユニット５１は、第１の状態におけるスライドユニット５１の位置（図８において破線で示す）から下方に位置しており、スライドユニット５１にユーザが着座可能である。換言すると、第２の状態においては、スライドユニット５１の上面（第１の状態においてスライドユニット５１の下面となる面）が第１の状態よりも低い位置の座面となる。なお、第２の状態からスライドユニット５１をレール２３１に沿って後方にスライドさせると、スライドユニット５１が湾曲部を経由して水平部３３に戻る。これにより、浴槽台２０１を第１の状態に変化させることができる。
【００７０】
なお、下側台部２１が設けられていないが、左右のフレーム１０同士は、左右のフレーム１０間にまたがって配置された梁部材等（図示せず）により互いに接続されているようにすればよい。
【００７１】
第２の変形例においても、上述の実施の形態と同様の効果を得ることができる。すなわち、第２の状態における座面の上面の床面からの高さｈ２は、第１の状態における座面すなわちスライドユニット５１の上面の床面からの高さｈ１よりも低くなる。すなわち、ユーザは、スライドユニット５１を一対のレール２３１に対してスライドさせることで第１の状態と第２の状態とを相互に変化させて、浴槽台２０１の座面の高さを高い状態とするか低い状態とするかを相互に切り替えることができる。下側台部２１が設けられていないので、第２水平部３５を比較的低い位置に配置することで、第２の状態における座面の高さｈ２を比較的低く設定することができる。
【００７２】
［第３の変形例の説明］
【００７３】
図９は、本実施の形態の第３の変形例に係る浴槽台３０１を単純化して示す側面図である。
【００７４】
図９に示されるように、第３の変形例に係る浴槽台３０１では、主に上述の実施の形態とは形状が異なるレール３３１が設けられている点が、上述の実施の形態にかかる浴槽台１とは相違する。
【００７５】
すなわち、レール３３１には、水平部３３の後端部から下方に延びる垂直部３４が設けられているが、第２水平部３５は設けられていない。垂直部３４の上下方向の長さは、水平部３３の前後方向の長さと略同じ程度になっている。
【００７６】
図９には、第２の状態が示されている。すなわち、第１の状態においては、スライドユニット５１は、上記の実施の形態と同様に、水平部３３に位置している。その状態からスライドユニット５１が後方にスライドされると、スライドユニット５１は水平部３３から垂直部３４に移動する。そして、図９に示されるように、第２の状態においては、スライドユニット５１が垂直部３４内に納まり、下側台部２１が上方に露出する。そのため、下側台部２１を座面としてユーザが座ることができるようになる。
【００７７】
第３の変形例においては、第２の状態において垂直部３４にスライドユニット５１が納まるように、垂直部３４の高さが比較的高くなっている。そのため、浴槽台３０１における第１の状態における座面すなわちスライドユニット５１の上面の床面からの高さｈ１は、上記実施の形態に係る浴槽台１の高さｈ１よりも高くなる。高さｈ１が比較的高いので、第２の状態における座面の上面の床面からの高さｈ２を比較的広い範囲で適宜設定できる。レール３３１は下側台部２１の下方に位置する第２水平部３５を有しないので、下側台部２１を比較的低い位置に配置して、第２の状態における座面の高さｈ２を比較的低く設定することができる。
【００７８】
その他、第３の変形例においても、上述の実施の形態と同様の効果を得ることができる。
【００７９】
［第４の変形例の説明］
【００８０】
図１０は、本実施の形態の第４の変形例に係る浴槽台４０１を単純化して示す側面図である。
【００８１】
図１０に示されるように、第４の変形例に係る浴槽台４０１では、上述の第３の変形例と比較して、一つの板状のスライドユニット４５１が用いられている点が相違する。
【００８２】
スライドユニット４５１は、一枚の板状である。スライドユニット４５１の左右両端部において、前方と後方とに１カ所ずつ、支持部５６が配置されている。図１０において実線で示される第１の状態のスライドユニット４５１では、前側の支持部５６が水平部３３の前端部近傍に、後側の支持部５６が水平部３３の後端部近傍に位置している。
【００８３】
ユーザは、矢印ｍに示されるように、スライドユニット４５１を一対のレール３３１に対して後方にスライドさせることで、第１の状態から第２の状態に変化させることができる。スライドユニット４５１をスライドさせると、まず後方の支持部５６が垂直部３４に入ることで、図１０において二点鎖線で示されるようにスライドユニット４５１の姿勢が変わる。そして、前方の支持部５６が垂直部３４に入ることで、スライドユニット４５１が略垂直姿勢になり、垂直部３４に納まる。このようにして、下側台部２１が上方に露出する第２の状態になり、下側台部２１を座面としてユーザが座ることができるようになる。
【００８４】
第４の変形例においては、より簡素な構成のスライドユニット４５１を用いることができるので、浴槽台４０１の製造コストを低減させることができる。その他、第４の変形例においても、上述の第３の変形例と同様の効果を得ることができる。
【００８５】
［第５の変形例の説明］
【００８６】
図１１は、本実施の形態の第５の変形例に係る浴槽台５０１を単純化して示す側面図である。
【００８７】
図１１に示されるように、第５の変形例に係る浴槽台５０１では、上述の実施の形態と比較して、ヒンジ５５４を用いたスライドユニット５５１が用いられている点が相違する。
【００８８】
スライドユニット５５１は、例えば、前後に並ぶ２枚の板状のスライド部材５５５同士が、ヒンジ５５４を介して互いに回転可能に結合されて構成されている。前側のスライド部材５５５の左右両端部と、後側のスライド部材５５５の左右両端部とのそれぞれには、１カ所ずつ、支持部５６が配置されている。図１１において実線で示される第１の状態のスライドユニット５５１では、前側の支持部５６が水平部３３の前端部近傍に、後側の支持部５６が水平部３３の後端部近傍に位置している。また、前後のスライド部材５５５の下面同士は、ヒンジ５５４を介して略１８０度だけ開いた状態で、それ以上は開かないようにして保持されている。これにより、第１の状態において、スライドユニット５５１の上面が座面となっている。
【００８９】
ユーザは、矢印ｍに示されるように、スライドユニット５５１を一対のレール５３１に対して後方にスライドさせることで、第１の状態から第２の状態に変化させることができる。スライドユニット５５１をスライドさせ、後方の支持部５６と前方の支持部５６とをともに垂直部３４に入れることで、下側台部２１が上面に露出する第２の状態にすることができる。これにより、下側台部２１を座面としてユーザが座ることができるようになる。
【００９０】
ここで、スライドユニット５５１は、ヒンジ５５４を介して２つのスライド部材５５５間の角度が変更できるように構成されているので、図１１において二点鎖線で示されるように、第１の状態から第２の状態に変化させるとき、スライドユニット５５１を折りたたむことができる。そして、第２の状態において、前後のスライド部材５５５の下面同士が略０度に閉じた状態にして垂直部３４に納めることができる。
【００９１】
第５の変形例においては、第２の状態においてスライドユニット５５１を折りたたむようにして、スライドユニット５５１の上下の寸法を短くした上で垂直部３４に納めることができる。垂直部３４の長さを短くしてもスライドユニット５５１を垂直部３４に納めることができるので、浴槽台５０１における第１の状態における座面すなわちスライドユニット５５１の上面の床面からの高さｈ１を比較的低く設定することができる。また、レール５３１は第２水平部３５を有しないので、下側台部２１を比較的低い位置に配置して、第２の状態における座面の高さｈ２を比較的低く設定することができる。その他、第５の変形例においても、上述の第３の変形例と同様の効果を得ることができる。
【００９２】
［第６の変形例の説明］
【００９３】
図１２は、本実施の形態の第６の変形例に係る浴槽台６０１を単純化して示す側面図である。
【００９４】
図１２に示されるように、第６の変形例に係る浴槽台６０１では、主に、形状が異なるレール６３１を有する点が上述の実施の形態に係る浴槽台１とは相違する。図１２において、スライドユニット５１の図示は、第２の状態のものが破線で示されているのみである。
【００９５】
すなわち、レール６３１は、垂直部３４の下端部近傍から後方にロールするように延びたロール部３９を有している。ロール部３９の先端部と垂直部３４とを合わせた長さは、水平部３３の長さと同等かそれより長く確保されている。垂直部３４からロール部３９の先端部にかけては、各スライド部材５５をスライド可能な程度に緩やかに湾曲しながら巻かれた形状を有している。
【００９６】
第６の変形例においても、スライドユニット５１が水平部３３に位置する第１の状態（図示せず）から、矢印ｍで示されるようにスライドユニット５１をレール６３１に沿って後方にスライドさせることにより、スライドユニット５１が破線で示されている第２の状態に変化させることができる。すなわち、第２の状態では、スライドユニット５１が、垂直部３４からロール部３９にかけての部分に位置し、水平部３３に位置していない状態となる。これにより、下側台部２１が上方に露出し、下側台部２１の上面を座面として使用することができる。なお、第２の状態からスライドユニット５１をレール６３１に沿って前方にスライドさせることにより、第１の状態に変化させることができる。
【００９７】
第６の変形例においては、垂直部３４に続けてロール部３９が設けられているので、垂直部３４の長さを短くしてもスライドユニット５１を水平部３３から待避させることができる。したがって、浴槽台６０１における第１の状態における座面の高さｈ１を比較的低く設定することができる。また、レール６３１は下側台部２１の下方に位置する第２水平部３５を有しないので、下側台部２１を比較的低い位置に配置して、第２の状態における座面の高さｈ２を比較的低く設定することができる。その他、第６の変形例においても、上述の実施の形態と同様の効果を得ることができる。
【００９８】
［第７の変形例の説明］
【００９９】
図１３は、本実施の形態の第７の変形例に係る浴槽台７０１の第１の状態を単純化して示す側面図である。図１４は、第７の変形例に係る浴槽台７０１の第２の状態を単純化して示す側面図である。
【０１００】
図１３に示されるように、第７の変形例に係る浴槽台７０１では、シート状のスライドユニット７５１が用いられている点が、第５の変形例に係る浴槽台５０１とは相違する。
【０１０１】
すなわち、図１３に示されるように、シート状のスライドユニット７５１は、前側と後側とにそれぞれ設けられた棒状の支持部７５６と、前端部及び後端部がそれぞれ支持部７５６に固定されたシート７５５とを有している。各支持部７５６は、左右両端部が左右一対のレール５３１によって支持されて、レール５３１に沿ってスライド可能となっている。シート７５５は、例えば繊維を編んで構成された、伸びにくく破れにくい布状シートであるが、これに限られるものではない。
【０１０２】
図１３に示される第１の状態においては、スライドユニット７５１の前側の支持部７５６が水平部３３の前端部近傍に、後側の支持部５６が水平部３３の後端部近傍に保持されている。これにより、第１の状態において、スライドユニット７５１のシート７５５の上面が座面となっている。
【０１０３】
ユーザは、矢印ｍ１，ｍ２に示されるように、各支持部７５６をレール５３１に対して後方にスライドさせることで、第１の状態から第２の状態に変化させることができる。
【０１０４】
図１４に示されるように、スライドユニット７５１をスライドさせ、後方の支持部７５６と前方の支持部７５６とをともに垂直部３４に入れることで、下側台部２１が上面に露出する第２の状態にすることができる。これにより、下側台部２１を座面としてユーザが座ることができるようになる。ここで、スライドユニット７５１において、シート７５５は撓むことができる素材により構成されているため、２つの支持部７５６間の距離はシート７５５が張らない範囲で適宜変更可能である。そのため、第１の状態から第２の状態に変化させるとき、シート７５５を撓ませた状態で、スライドユニット７５１の全体を垂直部３４に納めることができる。
【０１０５】
第７の変形例においては、第２の状態においてシート状のスライドユニット７５１を撓ませるようにして、２つの支持部７５６間の距離を縮めた状態でスライドユニット７５１を垂直部３４に納めることができる。したがって、第７の変形例においても、上述の第５の変形例と同様の効果を得ることができる。
【０１０６】
［第８の変形例の説明］
【０１０７】
図１５は、本実施の形態の第８の変形例に係る浴槽台８０１を単純化して示す側面図である。
【０１０８】
図１５に示されるように、第８の変形例に係る浴槽台８０１は、フレーム１０の上部に略水平に設けられた一対のレール８３１を有している。また、レール８３１に支持部８５７を介して回転可能に軸支された第２ユニット８５２と、その前側に位置するスライドユニット８５１とを有している。
【０１０９】
スライドユニット８５１は、その後端部において、第２ユニット８５２の前端部にヒンジ８５４を介して互いに回転可能に結合されている。スライドユニット８５１の左右両端部と、第２ユニット８５２の左右両端部とのそれぞれには、１カ所ずつ、支持部８５６，８５７が配置されている。図１５において実線で示される第１の状態において、スライドユニット８５１の支持部８５６が水平部３３の前端部近傍に、第２ユニット８５２の支持部８５７が水平部３３の後端部近傍に位置している。また、スライドユニット８５１の下面と第２ユニット８５２の下面とは、ヒンジ８５４を介して略１８０度だけ開いた状態で、それ以上は開かないようにして保持されている。これにより、第１の状態において、スライドユニット８５１の上面が座面となっている。
【０１１０】
ユーザは、矢印ｍに示されるように、スライドユニット８５１を一対のレール８３１に対して後方にスライドさせることで、第１の状態から第２の状態に変化させることができる。スライドユニット８５１と第２ユニット８５２とのそれぞれを支持部８５６，８５７を中心に回転させながら、スライドユニット８５１をスライドさせることできる。スライドユニット８５１と第２ユニット８５２との間の角度は変更できるように構成されているので、図１５において二点鎖線で示されるように、第１の状態から第２の状態に変化させるとき、スライドユニット８５１と第２ユニット８５２とを折りたたむことができる。そして、第２の状態において、スライドユニット８５１と第２ユニット８５２との下面同士が略０度に閉じてレール８３１の後端部近傍部分から上方に立設した状態にし、下側台部２１が上面に露出する第２の状態にすることができる。これにより、下側台部２１を座面としてユーザが座ることができるようになる。このとき、スライドユニット８５１を背もたれとして使用できる。すなわち、下側台部２１を座面として腰掛けたユーザは、スライドユニット８５１の上面（図１５において前方を向く面）に背中を接触させて、楽に浴槽台１０１に座ることができる。
【０１１１】
その他、第８の変形例においても、上述の第３の変形例と同様の効果を得ることができる。
【０１１２】
なお、第８の変形例において、第２ユニット８５２はレール８３１に支持されておらずに、単にフレーム１に対して回転可能に支持されていてもよい。
【０１１３】
［その他］
【０１１４】
上述の複数の実施の形態を適宜組み合わせた実施の形態を構成してもよい。例えば、上述の実施の形態の構成そのものに限られず、上述の実施の形態のそれぞれの構成要素を、適宜、他の実施の形態の構成要素と置換したり組み合わせたりしてもよい。また、上述の実施の形態のうち、一部の構成要素や機能が省略されていてもよい。
【０１１５】
フレームの形状、レールの形状、第１の状態におけるスライドユニットの上面の高さや前後方向の寸法、下側台部の高さや前後方向の寸法、着座するユーザの座面となり得るスライドユニットや下側台部の左右方向の寸法などは、浴槽台の使用目的や設置場所の事情などに応じて、適宜設定することができる。
【０１１６】
スライドユニットや下側台部は、上記の実施の形態のように左右方向が長手方向となる複数の短冊状の部材により構成されているものに限られない。例えば、下側台部は、１つの板であってもよく、また、板状でなくてもよい。また、スライドユニットや下側台部は、複数の棒状部材や管状部材を板状に並べて構成されていてもよい。
【０１１７】
また、第２の状態においてスライドユニットが水平部の下方に位置しないようにしたレールを用いる場合において、下側台部を設けずに、第２の状態において床面を座面とすることができるように構成されていてもよい。
【０１１８】
フレームは、左右一対に構成されているものに限られない。また、フレームのうち、レールが取り付けられている部分と脚部とが別々に構成されていてもよい。フレームは、上述の実施の形態のように棒状部材や管状部材を用いて構成されているものに限られず、例えば板状の部材で構成されていてもよい。
【０１１９】
レールは、水平部を有しておらず、水平面に対して傾斜している直線部を有していたり、全体として湾曲しているものであってもよい。左右のそれぞれに、左右で対称となる複数組のレールが設けられており、各組のレールに互いに連結された複数のスライド部材のうちいくつかが支持されており、スライドユニットが全体としてフレームに対してスライド可能となっていてもよい。
【０１２０】
また、レールは、スライドユニットの変位可能な方向をスライド方向のみに規制するものではなくてもよい。例えば、レールは、第１の状態においてスライドユニットの上方への変位を規制するものではなく、単にスライドユニットに設けられている支持部を下から支えるものであってもよい。また、フレームにはレールが設けられておらず、スライドユニットの左右両側の端部がフレームに支持されており、フレームに対してスライド可能になっていれてもよい。
【０１２１】
脚部の構造は、複数の筒状の部材により支持板を支えるものに限られない。脚部は、例えば、接地面に対して立てられる複数の板状の部材により支持板を支えるものであったり、一つの柱状の部材であったりしてもよい。
【０１２２】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１２３】
１，１０１，２０１，３０１，４０１，５０１，６０１，７０１  浴槽台
１０  フレーム
２１  下側台部
３１，１３１，２３１，３３１，５３１，６３１  レール
３３  水平部
５１，４５１，５５１，７５１  スライドユニット
５５，５５５  スライド部材
【図１】
2020074935.tif 000003
【図２】
2020074935.tif 000004
【図３】
2020074935.tif 000005
【図４】
2020074935.tif 000006
【図５】
2020074935.tif 000007
【図６】
2020074935.tif 000008
【図７】
2020074935.tif 000009
【図８】
2020074935.tif 000010
【図９】
2020074935.tif 000011
【図１０】
2020074935.tif 000012
【図１１】
2020074935.tif 000013
【図１２】
2020074935.tif 000014
【図１３】
2020074935.tif 000015
【図１４】
2020074935.tif 000016
【図１５】
2020074935.tif 000017